(57)【特許請求の範囲】
【請求項１】
集合住宅の集合玄関に設置される集合玄関機（１）と、前記集合住宅の複数の住戸の住戸玄関にそれぞれ設置される玄関子機（２ａ、２ｂ、・・・）と、前記集合玄関機又は前記玄関子機からの呼び出しに応答して音声信号を送受信することで通話を成立させるとともに前記集合玄関機及び前記玄関子機のうち少なくとも前記集合玄関機にて生成される映像信号を出画するために前記複数の住戸の住戸内にそれぞれ設置される居室親機（３ａ、３ｂ、・・・）と、集合玄関ライン（Ｌ1）を経由して接続される前記集合玄関機、住戸ライン（Ｌ2）を経由して接続される前記玄関子機をそれぞれ制御するための制御機（５）とを有する集合住宅インターホン装置であって、
前記玄関子機は、前記制御機に接続される前記住戸ラインを引込み自住戸の前記居室親機に接続される子機／親機ライン（Ｌ3a、Ｌ3b、・・・）と結合し、自玄関子機又は前記住戸ラインを経由して接続される前記制御機から前記子機／親機ラインを経由して接続される前記居室親機への信号伝送路と、自玄関子機又は前記子機／親機ラインを経由して接続される前記居室親機から前記住戸ラインを経由して接続される前記制御機への信号伝送路とをそれぞれ形成するための双方向結合型子機分岐器（２７）を備えることにより、前記住戸ラインより信号パワーの一部を分岐させるとともに前記子機／親機ラインより信号パワーを混合させ、
前記双方向結合型子機分岐器は、前記住戸ラインを経由して前記制御機との間で送受信される信号を入出力するための子機トランス（２７ａ）と、前記子機トランスに入力される信号のデフレーム処理と復調又は復号化を行うことで前記音声信号、前記映像信号、前記呼出しのための制御信号等の各種データを再生するとともに、前記再生された各種データのフレーム処理と変調又は符号化を行い前記子機／親機ラインに送出するための子機信号処理部（２７ｂ）とを備え、
前記子機信号処理部は、前記子機トランスに入力された信号を復調して下り方向の伝送フレームを検出するための子機上流側受信回路（２７０）と、前記子機上流側受信回路にて検出された前記下り方向の伝送フレームから前記音声信号、前記映像信号、前記呼出しのための制御信号等の各種データを取出すための子機上流側デフレーマ（２７１）と、前記子機上流側デフレーマにて取出された前記各種データを前記子機／親機ラインを経由して前記居室親機に伝送させる下り方向の伝送フレームに割当てるための子機下流側フレーマ（２７２）と、前記子機下流側フレーマの出力信号を変調して前記子機／親機ラインに送出するための子機下流側送信回路（２７３）と、前記子機／親機ラインを経由して入力された信号を復調して上り方向の伝送フレームを検出するための子機下流側受信回路（２７４）と、前記子機下流側受信回路にて検出された前記上り方向の伝送フレームから前記音声信号、呼出応答のための制御信号等の各種データを取出すための子機下流側デフレーマ（２７５）と、前記子機下流側デフレーマにて取出された前記各種データを前記住戸ラインを経由して前記制御機に伝送させる上り方向の伝送フレームに割当てるための子機上流側フレーマ（２７６）と、前記子機上流側フレーマの出力信号を変調して前記子機トランスに送出するための子機上流側送信回路（２７７）と、前記子機上流側デフレーマから前記子機下流側フレーマへの信号伝送路、前記子機下流側デフレーマから前記子機上流側フレーマへの信号伝送路をそれぞれ形成して前記各種データの交換を行うための子機マルチプレクサ／デマルチプレクサ（２７８）とを有することを特徴とする集合住宅インターホン装置。
【請求項２】
前記居室親機は、親機／増設ライン（Ｌ4a、Ｌ4b、・・・）を経由して増設親機（４ａ、４ｂ、・・・）に接続され、
前記居室親機は、前記増設親機に接続される前記親機／増設ラインを引込み前記子機／親機と結合し、自居室親機又は前記子機／親機ラインを経由して接続される前記玄関子機から前記親機／増設ラインを経由して接続される前記増設親機への信号伝送路と、自居室親機又は前記親機／増設ラインを経由して接続される増設親機から前記子機／親機ラインを経由して接続される前記玄関子機への信号伝送路とをそれぞれ形成するための双方向結合型居室親機分岐器（３７）を備えることにより、前記親機／増設ラインより信号パワーの一部を分岐させるとともに前記子機／親機ラインより信号パワーを混合させることを特徴とする請求項１記載の集合住宅インターホン装置。
【請求項３】
前記双方向結合型親機分岐器は、前記親機／増設ラインを経由して前記増設親機との間で送受信される信号を入出力するための親機トランス（３７ａ）と、前記親機トランスを経由して入力される信号のデフレーム処理と復調又は復号化を行うことで前記音声信号、呼出し・呼出応答のための制御信号等の各種データを再生するとともに、前記再生された各種データのフレーム処理と変調又は符号化を行い前記親機／増設ラインに送出するための親機信号処理部（３７ｂ）とを備えることを特徴とする請求項２記載の集合住宅インターホン装置。
【請求項４】
前記親機信号処理部は、前記親機トランスに入力された信号を復調して下り方向の伝送フレームを検出するための親機下流側受信回路（３７０）と、前記親機下流側受信回路にて検出された上り方向の伝送フレームから前記音声信号、前記呼出し・呼出応答のための制御信号等の前記各種データを取出すための親機下流側デフレーマ（３７１）と、前記親機下流側デフレーマにて取出された前記各種データを前記子機／親機ラインを経由して前記玄関子機に伝送させる上り方向の伝送フレームに割当てるための親機上流側フレーマ（３７２）と、前記親機上流側フレーマ３の出力信号を変調して前記子機／親機ラインに送出するための親機上流側送信回路（３７３）と、前記子機／親機ラインを経由して前記玄関子機より入力された信号を復調して下り方向の伝送フレームを検出するためのもの親機上流側受信回路（３７４）と、前記親機上流側受信回路にて検出された下り方向の伝送フレームから前記音声信号、前記映像信号、前記呼出しのための制御信号等の各種データを取り出すための親機上流側デフレーマ（３７５）と、前記親機上流側デフレーマにて取出された各種データを前記親機／増設ラインを経由して前記増設親機に伝送させる下り方向の伝送フレームに割り当てるための親機下流側フレーマ（３７６）と、前記親機下流側フレーマの出力信号を変調して前記親機トランスに送出するための親機下流側送信回路（３７７）と、前記親機下流側デフレーマから前記親機上流側フレーマへの信号伝送路、前記親機上流側デフレーマから前記親機下流側フレーマへの信号伝送路をそれぞれ形成して各種データの交換を行うための親機マルチプレククサ／デマルチプレクサ（３７８）とを有することを特徴とする請求項３記載の集合住宅インターホン装置。
【発明の詳細な説明】
【技術分野】
【０００１】
本発明は、マンション等の集合住宅に設置される集合住宅インターホン装置に係り、特に、配線の省線化及びシステム構成の簡素化が可能な集合住宅インターホン装置に関する。
【背景技術】
【０００２】
従来から、図７のシステム説明図に示す構成の集合住宅インターホン装置が開示されている。
【０００３】
この集合住宅インターホン装置は、集合住宅の集合玄関に設置される集合玄関機５０１と、集合住宅の複数の住戸の住戸玄関にそれぞれ設置される玄関子機５０２ａ、５０２ｂ、・・・と、集合玄関機５０１又は玄関子機５０２ａ、５０２ｂ、・・・からの呼出しに応答して音声信号を送受信することで通話を成立させるとともに集合玄関機５０１及び玄関子機５０２ａ、５０２ｂ、・・・のうち少なくとも集合玄関機５０１にて生成される映像信号を出画するために複数の住戸の住戸内にそれぞれ設置される居室親機５０３ａ、５０３ｂ、・・・と、集合玄関ラインＬ501を経由して接続される集合玄関機５０１、住戸ラインＬ502から住戸毎の中継器５０４、５０４、・・・を経由して接続される居室親機５０３ａ、５０３ｂ、・・・をそれぞれ制御するための制御機５０５とを有しており、居室親機５０３ａ、５０３ｂ、・・・にはそれぞれ、子機／親機ラインＬ503a、Ｌ503b、・・・を経由して玄関子機５０２ａ、５０２ｂ、・・・が接続されている（例えば、特許文献１乃至特許文献３を参照。）。
【先行技術文献】
【特許文献】
【０００４】
【特許文献１】特開２０００−１７４９１３号公報
【特許文献２】特開２００７−１１６６３０号公報
【特許文献３】特開２００９−５２８１号公報
【発明の概要】
【発明が解決しようとする課題】
【０００５】
しかしながら、背景技術に記載した図７に示す集合住宅インターホン装置によれば、制御機５０５から中継器５０４、５０４、・・・を経由して居室親機５０３ａ、５０３ｂ、・・・に引込まれる配線である住戸ラインＬ502と、玄関子機５０２ａ、５０２ｂ、・・・から居室親機５０３ａ、５０３ｂ、・・・に引込まれる配線である子機／親機ラインＬ503a、Ｌ503b、・・・とが個別・別途の配線で設けられているため、配線が煩雑となるばかりでなく、既設の集合インターホン装置をリ・プレースしようとする場合には、配線数が不足となるおそれがあり別途の配線が必要となる難点があった。
【０００６】
また、同様な図７に示す集合住宅インターホン装置による配線形態においては、中継器５０４、５０４、・・・から居室親機５０３ａ、５０３ｂ、・・・までの最大線路長に応じた遅延時間に相当する衝突防止のためのガードインターバルが必要となるため、ガードインターバルがオーバヘッドとなり、配線上を伝送される信号の容量（伝送容量）が減少してしまう難点があった。
【０００７】
本発明は、これらの難点を解消するためになされたもので、少なくとも、集合住宅の住戸毎に設けられる玄関子機及び居室親機の間を接続する配線と制御機から住戸へ引込まれる配線とを結合させて共用化し、配線より信号パワーを分岐／混合することにより、配線の省線化及びシステム構成の簡素化を図るとともに、配線上を伝送される信号に係るフレーム構成の効率化が可能な集合住宅インターホン装置を提供することを目的としている。
【課題を解決するための手段】
【０００８】
前述の目的を達成するため、本発明の第１の態様である集合住宅インターホン装置は、集合住宅の集合玄関に設置される集合玄関機と、集合住宅の複数の住戸の住戸玄関にそれぞれ設置される玄関子機と、集合玄関機又は玄関子機からの呼出しに応答して音声信号を送受信することで通話を成立させるとともに集合玄関機及び玄関子機のうち少なくとも集合玄関機にて生成される映像信号を出画するために複数の住戸の住戸内にそれぞれ設置される居室親機と、集合玄関ラインを経由して接続される集合玄関機、住戸ラインを経由して接続される玄関子機をそれぞれ制御するための制御機とを有する集合住宅インターホン装置であって、玄関子機は、制御機に接続される住戸ラインを引込み自住戸の居室親機に接続される子機／親機ラインと結合し、自玄関子機又は住戸ラインを経由して接続される制御機から子機／親機ラインを経由して接続される居室親機への信号伝送路と、自玄関子機又は子機／親機ラインを経由して接続される居室親機から住戸ラインを経由して接続される制御機への信号伝送路とをそれぞれ形成するための双方向結合型子機分岐器を備えることにより、住戸ラインより信号パワーの一部を分岐させるとともに子機／親機ラインより信号パワーを混合させるものである。双方向結合型子機分岐器は、住戸ラインを経由して制御機との間で送受信される信号を入出力するための子機トランスと、子機トランスに入力される信号のデフレーム処理と復調又は復号化を行うことで音声信号、映像信号、呼出しのための制御信号等の各種データを再生するとともに、再生された各種データのフレーム処理と変調又は符号化を行い子機／親機ラインに送出するための子機信号処理部とを備えるものである。子機信号処理部は、子機トランスに入力された信号を復調して下り方向の伝送フレームを検出するための子機上流側受信回路と、子機上流側受信回路にて検出された下り方向の伝送フレームから音声信号、映像信号、呼出しのための制御信号等の各種データを取出すための子機上流側デフレーマと、子機上流側デフレーマにて取出された各種データを子機／親機ラインを経由して居室親機に伝送させる下り方向の伝送フレームに割当てるための子機下流側フレーマと、子機下流側フレーマの出力信号を変調して子機／親機ラインに送出するための子機下流側送信回路と、子機／親機ラインを経由して居室親機より入力された信号を復調して上り方向の伝送フレームを検出するための子機下流側受信回路と、子機下流側受信回路にて検出された上り方向の伝送フレームから音声信号、呼出応答のための制御信号等の各種データを取出すための子機下流側デフレーマと、子機下流側デフレーマにて取出された各種データを住戸ラインを経由して制御機に伝送させる上り方向の伝送フレームに割当てるための子機上流側フレーマと、子機上流側フレーマの出力信号を変調して子機トランスに送出するための子機上流側送信回路と、子機上流側デフレーマから子機下流側フレーマへの信号伝送路、子機下流側デフレーマから子機上流側フレーマへの信号伝送路をそれぞれ形成して各種データの交換を行うための子機マルチプレクサ／デマルチプレクサとを有するものである。
【０００９】
また、本発明の第２の態様である集合住宅インターホン装置は、本発明の第１の態様において、居室親機は、親機／増設ラインを経由して増設親機に接続されている。居室親機は、増設親機に接続される親機／増設ラインを引込み子機／親機ラインと結合し、自居室親機又は子機／親機ラインを経由して接続される玄関子機から親機／増設ラインを経由して接続される増設親機への信号伝送路と、自居室親機又は親機／増設ラインを経由して接続される増設親機から子機／親機ラインを経由して接続される玄関子機への信号伝送路とをそれぞれ形成するための双方向結合型親機分岐器を備えることにより、親機／増設ラインより信号パワーの一部を分岐させるとともに子機／親機ラインより信号パワーを混合させるものである。
【００１０】
また、本発明の第３の態様である集合住宅インターホン装置は、本発明の第２の態様において、双方向結合型親機分岐器は、親機／増設ラインを経由して増設親機との間で送受信される信号を入出力するための親機トランスと、親機トランスに入力される信号のデフレーム処理と復調又は復号化を行うことで音声信号、呼出し・呼出応答のための制御信号等の各種データを再生するとともに、再生された各種データのフレーム処理と変調又は符号化を行い親機／増設ラインに送出するための親機信号処理部とを備えている。
【００１１】
また、本発明の第４の態様である集合住宅インターホン装置は、本発明の第３の態様において、親機信号処理部は、親機トランスに入力された信号を復調して下り方向の伝送フレームを検出するための親機下流側受信回路と、親機下流側受信回路にて検出された上り方向の伝送フレームから音声信号、呼出し・呼出応答のための制御信号等の各種データを取出すための親機下流側デフレーマと、親機下流側デフレーマにて取出された各種データを子機／親機ラインを経由して玄関子機に伝送させる上り方向の伝送フレームに割当てるための親機上流側フレーマと、親機上流側フレーマの出力信号を変調して子機／親機ラインに送出するための親機上流側送信回路と、子機／親機ラインを経由して玄関子機より入力された信号を復調して下り方向の伝送フレームを検出するための親機上流側受信回路と、親機上流側受信回路にて検出された下り方向の伝送フレームから音声信号、映像信号、呼出しのための制御信号等の各種データを取出すための親機上流側デフレーマと、親機上流側デフレーマにて取出された各種データを親機／増設ラインを経由して増設親機に伝送させる下り方向の伝送フレームに割当てるための親機下流側フレーマと、親機下流側フレーマの出力信号を変調して親機トランスに送出するための親機下流側送信回路と、親機下流側デフレーマから親機上流側フレーマへの信号伝送路、親機上流側デフレーマから親機下流側フレーマへの信号伝送路をそれぞれ形成して各種データの交換を行うための親機マルチプレククサ／デマルチプレクサとを有するものである。
【発明の効果】
【００１２】
本発明の集合住宅インターホン装置によれば、集合住宅の住戸毎に設けられる玄関子機及び居室親機の間を接続する配線である子機／親機ラインと制御機から住戸へ引込まれる配線である住戸ラインとを当該玄関子機の機器内に設けられる双方向結合型子機分岐器にて結合させて共用化することにより、住戸ラインより信号パワーの一部を分岐させるとともに子機／親機ラインより信号パワーを混合させることができるため、配線の省線化及びシステム構成の簡素化が図られるばかりでなく、制御機から住戸ライン、玄関子機、子機／親機ラインを経由して居室親機に伝送される信号に係るフレーム構成において、スロット間のガードインターバルを最小とすることができ、当該フレーム構成の効率化が可能となることにより、配線上を伝送される信号の容量（伝送容量）を十分に確保できる。
【００１３】
また、本発明の集合住宅インターホン装置によれば、集合住宅の住戸内毎に設けられる玄関子機及び居室親機の間を接続する配線である子機／親機ラインと増設親機から居室親機へ引込まれる配線である親機／増設ラインとを当該居室親機の機器内に設けられる双方向結合型親機分岐器にて結合させて共用化することにより、親機／増設ラインより信号パワーの一部を分岐させるとともに子機／親機ラインより信号パワーを混合させることができるため、配線の省線化及びシステム構成の簡素化が図られるばかりでなく、増設親機から親機／増設ラインを経由して居室親機に伝送される信号に係るフレーム構成において、スロット間のガードインターバルを最小とすることができ、当該フレーム構成の効率化が可能となることにより、配線上を伝送される信号の容量（伝送容量）を十分に確保できる。
【図面の簡単な説明】
【００１４】
【図１】本発明の実施例による集合住宅インターホン装置の全体構成を示すシステム説明図。
【図２】本発明の実施例による集合住宅インターホン装置において、玄関子機の具体的な構成を示すブロック図。
【図３】本発明の実施例による集合住宅インターホン装置において、居室親機の具体的な構成を示すブロック図。
【図４】本発明の実施例による集合住宅インターホン装置において、増設親機の具体的な構成を示すブロック図。
【図５】本発明の実施例による集合住宅インターホン装置において、玄関子機、居室親機及び増設親機に備えられるトランス（子機トランス、親機トランス及び増設トランス）の具体的な構成を示す回路ブロック図。
【図６】本発明の実施例による集合住宅インターホン装置において適用される各種データの周波数特性及びフレーム構成の一例を示す説明図。
【図７】従来例による集合住宅インターホン装置の全体構成を示すシステム説明図。
【発明を実施するための形態】
【００１５】
以下、本発明の集合住宅インターホン装置を適用した実施の形態例について、図面を参照して説明する。
【００１６】
図１は、本発明の実施例による集合住宅インターホン装置の全体構成を示すシステム説明図であって、マンション等の集合住宅に設置されるものである。この集合住宅インターホン装置は、集合住宅の集合玄関に設置される集合玄関機１と、集合住宅の複数の住戸、ここでは、Ａ号室、Ｂ号室、・・・のような複数の住戸の住戸玄関にそれぞれ設置される玄関子機２ａ、２ｂ、・・・と、前述の複数の住戸の住戸内、例えば、リビングや寝室等の異なる場所にそれぞれ設置され集合玄関機１又は自住戸の玄関子機２ａ、２ｂ、・・・からの呼出しに応答して音声信号を送受信することで通話を成立させるとともに集合玄関機１及び（自住戸の）玄関子機２ａ、２ｂ、・・・のうち少なくとも集合玄関機１にて生成される映像信号、ここでは、集合玄関機１及び（自住戸の）玄関子機２ａ、２ｂ、・・・にてそれぞれ生成される映像信号を出画するための居室親機３ａ、３ｂ、・・・及び当該居室親機に親機／増設ラインＬ4a、Ｌ4b、・・・を経由して接続される増設親機４ａ、４ｂ、・・・と、集合玄関ラインＬ1を経由して接続される集合玄関機１、住戸ラインＬ2を経由して接続される玄関子機２ａ、２ｂ、・・・をそれぞれ制御するための制御機５とを有している。なお、玄関子機２ａ、２ｂ、・・・には、住戸玄関の玄関扉を施解錠するための電気錠６ａ、６ｂ、・・・が接続されている。
【００１７】
同図において、集合玄関機１は、集合玄関ラインＬ1を経由して制御機５に接続されており、（集合玄関）操作部１０、（集合玄関）映像撮像部１１及び（集合玄関）通話部１２が備えられている。ここで、操作部１０は、集合玄関に居る来訪者が特定の住戸内に在室中の居住者を呼出すための操作を行うものであり、例えば、テンキーボタン１０ａや呼出ボタン１０ｂにて構成されている。また、映像撮像部１１は、操作部１０（１０ａ、１０ｂ）にて所定の呼出操作を行った来訪者の映像や集合玄関の周囲近傍の映像を撮像して映像信号を生成するためのものであり、例えば、ＣＣＤ、ＣＭＯＳ等の各種の映像撮像媒体にて構成されている。さらに、通話部１２は、来訪者が呼出先である（特定の）居住者との間で通話を成立させるための音声信号を送受信するものであり、例えば、マイク１２ａ及びスピーカ１２ｂにて構成されている。
【００１８】
玄関子機２ａ、２ｂ、・・・はそれぞれ同様な構成であって、住戸ラインＬ2を経由して制御機５と子機／親機ラインＬ3a、Ｌ3b、・・・を経由して居室親機３ａ、３ｂ、・・・とに接続されており、（子機）操作部２０、（子機）映像撮像部２１及び（子機）通話部２２が備えられている。ここで、操作部２０は、住戸玄関に居る来訪者が住戸内に在室中の居住者を呼出すための操作を行うものであり、例えば、呼出ボタン２０ａにて構成されている。また、映像撮像部２１は、操作部２０（２０ａ）にて所定の呼出操作を行った来訪者の映像や住戸玄関の周囲近傍の映像を撮像して映像信号を生成するためのものであり、例えば、ＣＣＤ、ＣＭＯＳ等の各種の映像撮像媒体にて構成されている。さらに、通話部２２は、来訪者が呼出先である居住者との間で通話を成立させるための音声信号を送受信するものであり、マイク２２ａ及びスピーカ２２ｂにて構成されている。なお、玄関子機２ａ、２ｂ、・・・には、前述の構成各部のみならず、住戸内にて発生したセキュリティ異常を報知（警報表示）するための例えば、ＬＥＤにて構成される表示部（図示せず。）を備えることもできる。また、スピーカ２２ｂについても、前述のセキュリティ異常を報知（警報発報）することができる。
【００１９】
居室親機３ａ、３ｂ、・・・はそれぞれ同様な構成であって、子機／親機ラインＬ3a、Ｌ3b、・・・を経由して玄関子機２ａ、２ｂ、・・・と親機／増設ラインＬ4a、Ｌ4b、・・・を経由して増設親機４ａ、４ｂ、・・・とに接続されており、（親機）表示部３０、（親機）通話部３１及び（親機）操作部３２が備えられている。ここで、表示部３０は、集合玄関機１又は（自住戸の）玄関子機２ａ、２ｂ、・・・を使用した来訪者からの呼出し、或いは（自住戸の）増設親機４ａ、４ｂ、・・・を使用した自住戸内の他の居住者からの呼出し（内線呼出し）があることを表示するとともに、集合玄関機１の映像撮像部１１及び（自住戸の）玄関子機２ａ、２ｂ、・・・の映像撮像部２１にてそれぞれ生成される映像信号を出画するためのものであり、例えば、呼出表示・報知機能を有するＬＥＤ３０ａ及び映像出画機能を有するＬＣＤ、有機ＥＬディスプレイ等のモニタ３０ｂにて構成されている。また、通話部３１は、当該居室親機の使用者である居住者が呼出元である来訪者又は自住戸内の他の居住者、或いは呼出先である自住戸内の他の居住者との間で通話を成立させるための音声信号を送受信するものであり、例えば、マイク３１ａ及びスピーカ３１ｂにて構成され、このスピーカ３１ｂは、前述の呼出報知機能も有している。さらに、操作部３２は、当該居室親機の使用者である居住者が来訪者又は自住戸内の他の居住者からの呼出し（内線呼出し）に応答して通話を成立させるための応答操作、成立中の通話を終了させるための終話操作、自住戸内の他の居住者を呼出（内線呼出）すための内線呼出操作、自住戸の電気錠６ａ、６ｂ、・・・を解錠させるための解錠操作等を行うものであり、例えば、通話応答、内線呼出、解錠等の各種の操作ボタン３２ａやこれらの操作機能を有するタッチパネル３２ｂにて構成されている。なお、通話部３１としては、ハンドセット（図示せず。）を備えることもできる。
【００２０】
増設親機４ａ、４ｂ、・・・はそれぞれ同様な構成であって、親機／増設ラインＬ4a、Ｌ4b、・・・を経由して居室親機３ａ、３ｂ、・・・に接続されており、（増設）表示部４０、（増設）通話部４１及び（増設）操作部４２が備えられている。ここで、表示部４０は、集合玄関機１又は（自住戸の）玄関子機２ａ、２ｂ、・・・を使用した来訪者からの呼出し、或いは（自住戸の）居室親機３ａ、３ｂ、・・・を使用した自住戸内の他の居住者からの呼出し（内線呼出し）があることを表示するとともに、集合玄関機１の映像撮像部１１及び（自住戸の）玄関子機２ａ、２ｂ、・・・の映像撮像部２１にてそれぞれ生成される映像信号を出画するためのものであり、例えば、呼出表示・報知機能を有するＬＥＤ４０ａ及び映像出画機能を有するＬＣＤ、有機ＥＬディスプレイ等のモニタ４０ｂにて構成されている。また、通話部４１は、当該増設親機の使用者である居住者が呼出元である来訪者又は自住戸内の他の居住者、或いは呼出先である自住戸内の他の居住者との間で通話を成立させるための音声信号を送受信するものであり、例えば、マイク４１ａ及びスピーカ４１ｂにて構成され、このスピーカ４１ｂは、前述の呼出報知機能も有している。さらに、操作部４２は、当該増設親機の使用者である居住者が来訪者又は自住戸内の他の居住者からの呼出し（内線呼出し）に応答して通話を成立させるための応答操作、成立中の通話を終了させるための終話操作、自住戸内の他の居住者を呼出（内線呼出）すための内線呼出操作、自住戸の電気錠６ａ、６ｂ、・・・を解錠させるための解錠操作等を行うものであり、例えば、通話応答、内線呼出、解錠等の各種の操作ボタン４２ａやこれらの操作機能を有するタッチパネル４２ｂにて構成されている。なお、通話部４１としては、ハンドセット（図示せず。）を備えることもできる。
【００２１】
次に、玄関子機２ａ、２ｂ、・・・の具体的な構成について、図２のブロック図を参照して説明する。同図に示す玄関子機２ａ、２ｂ、・・・には、前述の操作部２０（２０ａ）、映像撮像部２１及び通話部２２（２２ａ、２２ｂ）と、子機ＣＰＵ２３、子機タイミングジェネレータ２４、子機映像Ｉ／Ｆ２５、子機音声Ｉ／Ｆ２６、双方向結合型子機分岐器２７及び電気錠制御部２８とが備えられている。
【００２２】
この玄関子機２ａ、２ｂ、・・・において、子機ＣＰＵ２３は、当該玄関子機の構成各部／回路を制御するためのものであり、所定の子機番号が割当てられている。また、子機タイミングジェネレータ２４は、当該玄関子機の構成各部／回路に係る動作タイミングを生成するためのものである。また、子機映像Ｉ／Ｆ２５は、映像撮像部２１にて生成される映像信号について所定の信号処理を行うものであり、例えば、Ａ／Ｄ（アナログ／デジタル）変換やサイズ変換、データ圧縮等を行うことができる。また、子機音声Ｉ／Ｆ２６は、通話部２２を構成するマイク２２ａ及びスピーカ２２ｂにて送受信される音声信号について所定の信号処理を行うものであり、例えば、Ａ／Ｄ変換又はＤ／Ａ変換やデータ圧縮／伸張等を行うことができる。さらに、電気錠制御部２８は、電気錠６ａ、６ｂ、・・・の施錠／解錠を制御するためのものである。
【００２３】
また、玄関子機２ａ、２ｂ、・・・の双方向結合型子機分岐器２７は、制御機５に接続される住戸ラインＬ2を引込み（自住戸の）居室親機３ａ、３ｂ、・・・に接続される子機／親機ラインＬ3a、Ｌ3b、・・・と結合し、自玄関子機又は住戸ラインＬ2を経由して接続される制御機５から子機／親機ラインＬ3a、Ｌ3b、・・・を経由して接続される（自住戸の）居室親機３ａ、３ｂ、・・・への信号伝送路と、自玄関子機又は子機／親機ラインＬ3a、Ｌ3b、・・・を経由して接続される（自住戸の）居室親機３ａ、３ｂ、・・・から住戸ラインＬ2を経由して接続される制御機５への信号伝送路とをそれぞれ形成するためのものであり、子機トランス２７ａ、子機信号処理部２７ｂを備えている
ここで、子機トランス２７ａは、住戸ラインＬ2を経由して制御機５との間で送受信される信号を入出力するためのものであり、図５（Ａ）の回路ブロック図に示す構成の当該トランスが好適とされる。また、子機信号処理部２７ｂは、子機トランス２７ａに入力される信号のデフレーム処理と復調又は復号化を行うことで前述の音声信号、映像信号、呼出しのための制御信号等の各種データを再生するとともに、再生された各種データ（や子機ＣＰＵ２３、子機映像Ｉ／Ｆ２５及び子機音声Ｉ／Ｆ２６をそれぞれ経由して伝送されてくる音声信号、映像信号、呼出しのための制御信号等の各種データ）についてフレーム処理と変調又は符号化を行い子機／親機ラインＬ3a、Ｌ3b、・・・に送出するためのものであり、子機上流側受信回路２７０、子機上流側デフレーマ２７１、子機下流側フレーマ２７２、子機下流側送信回路２７３、子機下流側受信回路２７４、子機下流側デフレーマ２７５、子機上流側フレーマ２７６、子機上流側送信回路２７７及び子機マルチプレクサ／デマルチプレクサ２７８を有している。
【００２４】
この子機信号処理部２７ｂにおいて、子機上流側受信回路２７０は、子機トランス２７ａに入力された信号を復調して下り方向の伝送フレームを検出するためのものである。また、子機上流側デフレーマ２７１は、子機上流側受信回路２７０にて検出された下り方向の伝送フレームから前述の音声信号、映像信号、呼出しのための制御信号等の各種データを取出すためのものである。また、子機下流側フレーマ２７２は、子機上流側デフレーマ２７１にて取出された各種データ（や子機ＣＰＵ２３、子機映像Ｉ／Ｆ２５及び子機音声Ｉ／Ｆ２６をそれぞれ経由して伝送されてくる音声信号、映像信号、呼出しのための制御信号等の各種データ）を、子機／親機ラインＬ3a、Ｌ3b、・・・を経由して（自住戸の）居室親機３ａ、３ｂ、・・・に伝送させる下り方向の伝送フレームに割当てるためのものである。また、子機下流側送信回路２７３は、子機下流側フレーマ２７２の出力信号を変調して子機／親機ラインＬ3a、Ｌ3b、・・・に送出するためのものである。また、子機下流側受信回路２７４は、子機／親機ラインＬ3a、Ｌ3b、・・・を経由して（自住戸の）居室親機３ａ、３ｂ、・・・より入力された信号を復調して上り方向の伝送フレームを検出するためのものである。また、子機下流側デフレーマ２７５は、子機下流側受信回路２７４にて検出された上り方向の伝送フレームから前述の音声信号、呼出応答のための制御信号等の各種データを取出すためのものである。また、子機上流側フレーマ２７６は、子機下流側デフレーマ２７５にて取出された各種データを、住戸ラインＬ2を経由して制御機５に伝送させる上り方向の伝送フレームに割当てるためのものである。また、子機上流側送信回路２７７は、子機上流側フレーマ２７６の出力信号を変調して子機トランス２７ａに送出するためのものである。さらに、子機マルチプレクサ／デマルチプレクサ２７８は、子機上流側デフレーマ２７１から子機下流側フレーマ２７２への信号伝送路、子機下流側デフレーマ２７５から子機上流側フレーマ２７６への信号伝送路をそれぞれ形成して各種データの交換を行うためのものである。
【００２５】
次に、居室親機３ａ、３ｂ、・・・の具体的な構成について、図３のブロック図を参照して説明する。同図に示す居室親機３ａ、３ｂ、・・・には、前述の表示部３０（３０ａ、３０ｂ）、通話部３１（３１ａ、３１ｂ）及び操作部３２（３２ａ、３２ｂ）と、親機ＣＰＵ３３、親機タイミングジェネレータ３４、親機映像Ｉ／Ｆ３５、親機音声Ｉ／Ｆ３６及び双方向結合型親機分岐器３７とが備えられている。
【００２６】
この居室親機３ａ、３ｂ、・・・において、親機ＣＰＵ３３は、当該居室親機の構成各部／回路を制御するためのものであり、所定の親機番号が割当てられている。また、親機タイミングジェネレータ３４は、当該居室親機の構成各部／回路に係る動作タイミングを生成するためのものである。また、親機映像Ｉ／Ｆ３５は、表示部３０を構成するモニタ３０ｂにて出画される映像信号について所定の信号処理を行うものであり、例えば、Ｄ／Ａ変換やサイズ変換、データ伸張等を行うことができる。さらに、親機音声Ｉ／Ｆ３６は、通話部３１を構成するマイク３１ａ及びスピーカ３１ｂにて送受信される音声信号について所定の信号処理を行うものであり、例えば、Ａ／Ｄ変換又はＤ／Ａ変換やデータ圧縮／伸張等を行うことができる。
【００２７】
また、居室親機３ａ、３ｂ、・・・の双方向結合型親機分岐器３７は、（自住戸の）増設親機４ａ、４ｂ、・・・に接続される親機／増設ラインＬ4a、Ｌ4b、・・・を引込み（自住戸の）玄関子機２ａ、２ｂ、・・・に接続される子機／親機ラインＬ3a、Ｌ3b、・・・と結合し、自居室親機又は子機／親機ラインＬ3a、Ｌ3b、・・・を経由して接続される（自住戸の）玄関子機２ａ、２ｂ、・・・から親機／増設ラインＬ4a、Ｌ4b、・・・を経由して接続される（自住戸の）増設親機４ａ、４ｂ、・・・への信号伝送路と、自居室親機又は親機／増設ラインＬ4a、Ｌ4b、・・・を経由して接続される（自住戸の）増設親機４ａ、４ｂ、・・・から子機／親機ラインＬ3a、Ｌ3b、・・・を経由して接続される（自住戸の）玄関子機２ａ、２ｂ、・・・への信号伝送路とをそれぞれ形成するためのものであり、親機トランス３７ａ、親機信号処理部３７ｂを備えている。
【００２８】
ここで、親機トランス３７ａは、親機／増設ラインＬ4a、Ｌ4b、・・・を経由して（自住戸の）増設親機４ａ、４ｂ、・・・との間で送受信される信号を入出力するためのものであり、図５（Ａ）の回路ブロック図に示す構成の当該トランスが好適とされる。また、親機信号処理部３７ｂは、親機トランス３７ａに入力される信号のデフレーム処理と復調又は復号化を行うことで前述の音声信号、呼出し・呼出応答のための制御信号等の各種データを再生するとともに、再生された各種データ（や親機ＣＰＵ３３、親機音声Ｉ／Ｆ３６をそれぞれ経由して伝送されてくる音声信号、呼出し・呼出応答のための制御信号等の各種データ）についてフレーム処理と変調又は符号化を行い親機／増設ラインＬ4a、Ｌ4b、・・・に送出するためのものであり、親機下流側受信回路３７０、親機下流側デフレーマ３７１、親機上流側フレーマ３７２、親機上流側送信回路３７３、親機上流側受信回路３７４、親機上流側デフレーマ３７５、親機下流側フレーマ３７６、親機下流側送信回路３７７及び親機マルチプレクサ／デマルチプレクサ３７８を有している。
【００２９】
この親機信号処理部３７ｂにおいて、親機下流側受信回路３７０は、親機トランス３７ａに入力された信号を復調して上り方向の伝送フレームを検出するためのものである。また、親機下流側デフレーマ３７１は、親機下流側受信回路３７０にて検出された上り方向の伝送フレームから前述の音声信号、呼出し・呼出応答のための制御信号等の各種データを取出すためのものである。また、親機上流側フレーマ３７２は、親機下流側デフレーマ３７１にて取出された各種データ（や親機ＣＰＵ３３、親機音声Ｉ／Ｆ３６をそれぞれ経由して伝送されてくる音声信号、呼出し・呼出応答のための制御信号等の各種データ）を、子機／親機ラインＬ3a、Ｌ3b、・・・を経由して（自住戸の）玄関子機２ａ、２ｂ、・・・に伝送させる上り方向の伝送フレームに割当てるためのものである。また、親機上流側送信回路３７３は、親機上流側フレーマ３７２の出力信号を変調して子機／親機ラインＬ3a、Ｌ3b、・・・に送出するためのものである。また、親機上流側受信回路３７４は、子機／親機ラインＬ3a、Ｌ3b、・・・を経由して（自住戸の）玄関子機２ａ、２ｂ、・・・より入力された信号を復調して下り方向の伝送フレームを検出するためのものである。また、親機上流側デフレーマ３７５は、親機上流側受信回路３７４にて検出された下り方向の伝送フレームから前述の音声信号、映像信号、呼出しのための制御信号等の各種データを取出すためのものである。また、親機下流側フレーマ３７６は、親機上流側デフレーマ３７５にて取出された各種データ（や親機ＣＰＵ３３、親機音声Ｉ／Ｆ３６をそれぞれ経由して伝送されてくる音声信号、呼出し・呼出応答のための制御信号等の各種データ）を、親機／増設ラインＬ4a、Ｌ4b、・・・を経由して（自住戸の）増設親機４ａ、４ｂ、・・・に伝送させる下り方向の伝送フレームに割当てるためのものである。また、親機下流側送信回路３７７は、親機下流側フレーマ３７６の出力信号を変調して親機トランス３７ａに送出するためのものである。さらに、親機マルチプレクサ／デマルチプレクサ３７８は、親機下流側デフレーマ３７１から親機上流側フレーマ３７２への信号伝送路、親機上流側デフレーマ３７５から親機下流側フレーマ３７６への信号伝送路をそれぞれ形成して各種データの交換を行うためのものである。
【００３０】
次に、増設親機４ａ、４ｂ、・・・の具体的な構成について、図４のブロック図を参照して説明する。同図に示す増設親機４ａ、４ｂ、・・・には、前述の表示部４０（４０ａ、４０ｂ）、通話部４１（４１ａ、４１ｂ）及び操作部４２（４２ａ、４２ｂ）と、増設ＣＰＵ４３、増設タイミングジェネレータ４４、増設映像Ｉ／Ｆ４５、増設音声Ｉ／４６及び終端型増設分岐器４７とが備えられている。
【００３１】
この増設親機４ａ、４ｂ、・・・において、増設ＣＰＵ４３は、当該増設親機の構成各部／回路を制御するためのものであり、所定の増設親機番号が割当てられている。また、増設タイミングジェネレータ４４は、当該増設親機の構成各部／回路に係る動作タイミングを生成するためのものである。また、増設映像Ｉ／Ｆ４５は、表示部４０を構成するモニタ４０ｂにて出画される映像信号について所定の信号処理を行うものであり、例えば、Ｄ／Ａ変換やサイズ変換、データ伸張等を行うことができる。さらに、増設音声Ｉ／Ｆ４６は、通話部４１を構成するマイク４１ａ及びスピーカ４１ｂにて送受信される音声信号について所定の信号処理を行うものであり、例えば、Ａ／Ｄ変換又はＤ／Ａ変換やデータ圧縮／伸張等を行うことができる。
【００３２】
また、増設親機４ａ、４ｂ、・・・の終端型増設分岐器４７は、（自住戸の）居室親機３ａ、３ｂ、・・・に接続される親機／増設ラインＬ4a、Ｌ4b、・・・を引込み、自増設親機から親機／増設ラインＬ4a、Ｌ4b、・・・を経由して接続される（自住戸の）居室親機３ａ、３ｂ、・・・への信号伝送路と、親機／増設ラインＬ4a、Ｌ4b、・・・を経由して接続される（自住戸の）居室親機３ａ、３ｂ、・・・から自増設親機への信号伝送路とをそれぞれ形成するためのものであり、増設トランス４７ａ、増設信号処理部４７ｂを備えている。
【００３３】
ここで、増設トランス４７ａは、親機／増設ラインＬ4a、Ｌ4b、・・・を経由して（自住戸の）増設親機３ａ、３ｂ、・・・との間で送受信される信号を入出力するためのものであり、図５（Ａ）の回路ブロック図に示す構成の当該トランスが好適とされる。また、増設信号処理部４７ｂは、増設トランス４７ａに入力される信号のデフレーム処理と復調又は復号化を行うことで前述の音声信号、映像信号、呼出し・呼出応答のための制御信号等の各種データを再生し、増設ＣＰＵ４３、増設映像Ｉ／Ｆ４５及び増設音声Ｉ／Ｆ４６にそれぞれ送出するとともに、増設ＣＰＵ４３、親機音声Ｉ／Ｆ３６をそれぞれ経由して伝送されてくる音声信号、呼出し・呼出応答のための制御信号等の各種データのフレーム処理と変調又は符号化を行い親機／増設ラインＬ4a、Ｌ4b、・・・に送出するためのものであり、増設受信回路４７０、増設デフレーマ４７１、増設フレーマ４７２、増設送信回路４７３及び増設マルチプレクサ／デマルチプレクサ４７４を有している。
【００３４】
この増設信号処理部４７ｂにおいて、増設受信回路４７０は、増設トランス４７ａに入力された信号を復調して下り方向の伝送フレームを検出するためのものである。また、増設デフレーマ４７１は、増設受信回路４７０にて検出された下り方向の伝送フレームから前述の音声信号、映像信号、呼出し・呼出応答のための制御信号等の各種データを取出すためのものである。また、増設フレーマ４７２は、前述の音声信号、呼出し・呼出応答のための制御信号等の各種データを親機／増設ラインＬ4a、Ｌ4b、・・・を経由して（自住戸の）居室親機３ａ、３ｂ、・・・に伝送させる上り方向の伝送フレームに割当てるためのものである。また、増設送信回路４７３は、増設フレーマ４７２の出力信号を変調して親機／増設ラインＬ4a、Ｌ4b、・・・に送出するためのものである。さらに、増設マルチプレクサ／デマルチプレクサ４７４は、増設デフレーマ４７１から増設ＣＰＵ４３、増設映像Ｉ／Ｆ４５及び増設音声Ｉ／Ｆ４６への各信号伝送路と、増設ＣＰＵ４３、増設映像Ｉ／Ｆ４５及び増設音声Ｉ／Ｆ４６から増設フレーマ４７２への信号伝送路とをそれぞれ形成して各種データの交換を行うためのものである。
【００３５】
このように構成された本発明の実施例による集合住宅インターホン装置において、以下、具体的な動作について説明する。
『第１の動作』
集合玄関に居る来訪者が、複数の住戸のうち、ここでは、Ａ号室内に在室中の居住者を呼出すにあたり、図１に示す集合玄関機１の操作部１０（１０ａ、１０ｂ）を使用して所定の呼出操作を行うと、図６（Ａ）に示すような下り方向の伝送信号に係る所定の周波数帯域であって、図６（Ｂ）に示す先頭フレームの「ヘッダ」にＡ号室を指定するための子機番号、親機番号及び増設親機番号を有する住戸アドレス、呼出元である集合玄関機１を示す玄関機番号、及び呼出しがある旨の呼出制御信号を、「複数のスロット（１）〜（３）」のうち例えば、「スロット（１）」に映像撮像部１１にて生成された映像信号をそれぞれ挿入させた下り方向の伝送フレームを有する玄関機呼出伝送信号が生成される。この玄関機呼出伝送信号は変調信号であり、集合玄関機１から集合玄関ラインＬ1、制御機５、住戸ラインＬ2を経由してマルチキャストで伝送され、図２に示す玄関子機２ａ、２ｂ、・・・の双方向結合型子機分岐器２７を構成する子機トランス２７ａにそれぞれ入力される。
【００３６】
玄関子機２ａ、２ｂ、・・・の双方向結合型子機分岐器２７において、子機信号処理部２７ｂの子機上流側受信回路２７０は、子機トランス２７ａに入力された玄関機呼出伝送信号を復調して下り方向の伝送フレームを検出する。また、子機上流側デフレーマ２７１は、子機上流側受信回路２７０にて検出された下り方向の伝送フレームから、前述の住戸アドレス（子機番号、親機番号及び増設親機番号）、玄関機番号、呼出制御信号及び映像信号を取出し、住戸アドレス（子機番号、親機番号及び増設親機番号）、玄関機番号及び呼出制御信号は、子機マルチプレクサ／デマルチプレクサ２７８を経由して子機ＣＰＵ２３に、映像信号は、子機マルチプレクサ／デマルチプレクサ２７８を経由して子機下流側フレーマ２７２にそれぞれ送出する。
【００３７】
ここで、玄関子機２ａ、２ｂ、・・・の子機ＣＰＵ２３は、双方向結合型子機分岐器２７の子機信号処理部２７ｂを構成する子機マルチプレクサ／デマルチプレクサ２７８を経由して入力された前述の住戸アドレス（子機番号、親機番号及び増設親機番号）、玄関機番号及び呼出制御信号のうち、住戸アドレスを構成する子機番号と自玄関子機に割当てられている子機番号とを照合し、当該子機番号が一致した場合にのみ、入力された住戸アドレス（子機番号、親機番号及び増設親機番号）、玄関機番号及び呼出制御信号を子機マルチプレクサ／デマルチプレクサ２７８を経由して子機下流側フレーマ２７２に送出する。ここでは、玄関子機２ａの子機ＣＰＵ２３のみ当該子機番号が一致することにより、この子機ＣＰＵ２３にて受信された前述の住戸アドレス（子機番号、親機番号及び増設親機番号）、玄関機番号及び呼出制御信号が、子機マルチプレクサ／デマルチプレクサ２７８を経由して子機下流側フレーマ２７２に送出される。
【００３８】
また、玄関子機２ａの双方向結合型子機分岐器２７において、子機信号処理部２７ｂの子機下流側フレーマ２７２は、子機マルチプレクサ／デマルチプレクサ２７８を経由して子機ＣＰＵ２３より入力された前述の住戸アドレス（子機番号、親機番号及び増設親機番号）、玄関機番号及び呼出制御信号を図６（Ｂ）に示す先頭フレームの「ヘッダ」に、子機マルチプレクサ／デマルチプレクサ２７８を経由して子機上流側デフレーマ２７１より伝送されてくる映像信号を「複数のスロット（１）〜（３）」のうち例えば、「スロット（１）」にそれぞれ挿入させた下り方向の伝送フレームを有し、図６（Ａ）に示すような下り方向の伝送信号に係る所定の周波数帯域の玄関機呼出転送信号を生成する。この玄関機呼出転送信号は、子機下流側送信回路２７３にて変調された後、子機／親機ラインＬ3aを経由して図３に示す居室親機３ａの双方向結合型親機分岐器３７を構成する親機信号処理部３７ｂの親機上流側受信回路３７４に入力される。
【００３９】
居室親機３ａの双方向結合型親機分岐器３７において、親機信号処理部３７ｂの親機上流側受信回路３７４は、子機／親機ラインＬ3aを経由して玄関子機２ａより入力された玄関機呼出転送信号を復調して下り方向の伝送フレームを検出する。この後、親機上流側デフレーマ３７５は、親機上流側受信回路３７４にて検出された下り方向の伝送フレームから、前述の住戸アドレス（子機番号、親機番号及び増設親機番号）、玄関機番号、呼出制御信号及び映像信号を取出し、住戸アドレス、玄関機番号及び呼出制御信号は、親機マルチプレクサ／デマルチプレクサ３７８を経由して親機ＣＰＵ３３に、映像信号は、親機マルチプレクサ／デマルチプレクサ３７８を経由して親機映像Ｉ／Ｆ３５にそれぞれ送出する。
【００４０】
ここで、居室親機３ａの親機ＣＰＵ３３は、双方向結合型親機分岐器３７の親機信号処理部３７ｂを構成する親機マルチプレクサ／デマルチプレクサ３７８を経由して入力された前述の住戸アドレス（子機番号、親機番号及び増設親機番号）、玄関機番号、呼出制御信号及び映像信号のうち、住戸アドレスを構成する親機番号と自居室親機に割当てられている親機番号とが一致するため、玄関機番号に該当する集合玄関機１を使用した集合玄関に居る来訪者からの呼出しがあることを、表示部３０のＬＥＤ３０ａ及び通話部３１のスピーカ３１ｂをそれぞれ使用して報知（呼出表示、呼出発報）するとともに、モニタ３０ｂが出画可能状態である場合には、親機映像Ｉ／Ｆ３５を経由して信号処理された映像信号を出画させることができる。
【００４１】
また、居室親機３ａの親機ＣＰＵ３３は、前述のように入力された住戸アドレス（子機番号、親機番号及び増設親機番号）、玄関機番号及び呼出制御信号を、双方向結合型親機分岐器３７の親機信号処理部３７ｂを構成する親機マルチプレクサ／デマルチプレクサ３７８を経由して親機下流側フレーマ３７６に送出する。この親機下流側フレーマ３７６は、親機マルチプレクサ／デマルチプレクサ３７８を経由して親機ＣＰＵ３３より入力された前述の住戸アドレス（子機番号、親機番号及び増設親機番号）、玄関機番号及び呼出制御信号と、親機マルチプレクサ／デマルチプレクサ３７８を経由して親機上流側デフレーマ３７５より伝送されてくる映像信号のうち、住戸アドレス、玄関機番号及び呼出制御信号を図６（Ｂ）に示す先頭フレームの「ヘッダ」に、映像信号を「複数のスロット（１）〜（３）」のうち例えば、「スロット（１）」にそれぞれ挿入させた下り方向の伝送フレームを有し、図６（Ａ）に示すような下り方向の伝送信号に係る所定の周波数帯域の玄関機呼出転送信号を生成する。この玄関機呼出転送信号は、親機下流側送信回路３７７にて変調された後、親機トランス３７ａ、親機／増設ラインＬ4aを経由して図４に示す増設親機４ａの終端型増設分岐器４７を構成する増設トランス４７ａに入力される。
【００４２】
増設親機４ａの終端型増設分岐器４７において、増設信号処理部４７ｂの増設受信回路４７０は、増設トランス４７ａに入力された玄関機呼出転送信号を復調して下り方向の伝送フレームを検出する。この後、増設デフレーマ４７１は、増設受信回路４７０にて検出された下り方向の伝送フレームから、前述の住戸アドレス（子機番号、親機番号及び増設親機番号）、玄関機番号、呼出制御信号及び映像信号を取出し、住戸アドレス、玄関機番号及び呼出制御信号は、増設マルチプレクサ／デマルチプレクサ４７４を経由して増設ＣＰＵ４３に、映像信号は、増設マルチプレクサ／デマルチプレクサ４７４を経由して増設映像Ｉ／Ｆ４５にそれぞれ送出する。
【００４３】
ここで、増設親機４ａの増設ＣＰＵ４３は、終端型親機分岐器４７の増設信号処理部４７ｂを構成する増設マルチプレクサ／デマルチプレクサ４７４を経由して入力された前述の住戸アドレス（子機番号、親機番号及び増設親機番号）、玄関機番号、呼出制御信号及び映像信号のうち、住戸アドレスを構成する増設親機番号と自増設親機に割当てられている増設親機番号とが一致するため、玄関機番号に該当する集合玄関機１を使用した集合玄関に居る来訪者からの呼出しがあることを、表示部４０のＬＥＤ４０ａ及び通話部４１のスピーカ４１ｂをそれぞれ使用して報知（呼出表示、呼出発報）するとともに、モニタ４０ｂが出画可能状態である場合には、増設映像Ｉ／Ｆ４５を経由して信号処理された映像信号を出画させることができる。
【００４４】
次に、前述のような呼出報知（呼出表示、呼出発報）及び映像信号の出画をもとに、集合玄関に居る来訪者からの呼出しがあり、この来訪者を映像とともに確認したＡ号室内に在室中の居住者が、図１、図３に示す居室親機３ａの操作部３２（３２ａ、３２ｂ）又は図１、図４に示す増設親機４ａの操作部４２（４２ａ、４２ｂ）を使用して所定の応答操作を行う、ここでは、居室親機３ａの操作部３２（３２ａ、３２ｂ）を使用して所定の応答操作を行うと、この操作を検出した親機ＣＰＵ３３は、親機音声Ｉ／Ｆ３６を制御して居住者が使用する通話部３１のマイク３１ａ及びスピーカ３１ｂと双方向結合型親機分岐器３７の親機信号処理部３７ｂを構成する親機マルチプレクサ／デマルチプレクサ３７８間の信号伝送路、すなわち、通話路を形成するとともに、呼出元である集合玄関機１を指定するための玄関機番号、応答元である居室親機３ａを示す親機番号及び応答したことを示す応答制御信号をそれぞれ生成し、親機マルチプレクサ／デマルチプレクサ３７８に送出する。
【００４５】
居室親機３ａの双方向結合型親機分岐器３７において、親機信号処理部３７ｂの親機上流側フレーマ３７２は、親機マルチプレクサ／デマルチプレクサ３７８を経由して親機ＣＰＵ３３より入力された玄関機番号、親機番号及び応答制御信号をそれぞれ、図６（Ｂ）に示す先頭フレームの「ヘッダ」に挿入させた上り方向の伝送フレームを有し、図６（Ａ）に示すような上り方向の伝送信号に係る所定の周波数帯域の親機応答伝送信号を生成する。この親機応答伝送信号は、親機上流側送信回路３７３にて変調された後、子機／親機ラインＬ3aを経由して図２に示す玄関子機２ａの双方向結合型子機分岐器２７の子機信号処理部２７ｂを構成する子機下流側受信回路２７４に入力される。
【００４６】
玄関子機２ａの双方向結合型子機分岐器２７において、子機信号処理部２７ｂの子機下流側受信回路２７４は、子機／親機ラインＬ3aを経由して居室親機３ａより入力された親機応答伝送信号を復調して上り方向の伝送フレームを検出する。また、子機下流側デフレーマ２７５は、子機下流側受信回路２７４にて検出された上り方向の伝送フレームから、前述の玄関機番号、親機番号及び応答制御信号を取出し、子機マルチプレクサ／デマルチプレクサ２７８を経由して子機上流側フレーマ２７６に送出する。
【００４７】
また、玄関子機２ａの双方向結合型子機分岐器２７において、子機信号処理部２７ｂの子機上流側フレーマ２７６は、子機マルチプレクサ／デマルチプレクサ２７８を経由して入力された前述の玄関機番号、親機番号及び応答制御信号をそれぞれ、図６（Ｂ）に示す先頭フレームの「ヘッダ」に挿入させた上り方向の伝送フレームを有し、図６（Ａ）に示すような上り方向の伝送信号に係る所定の周波数帯域の親機応答転送信号を生成する。この親機応答転送信号は、子機上流側送信回路２７７にて変調された後、子機トランス２７ａから住戸ラインＬ2、図１に示す制御機５、集合玄関ラインＬ1を経由して集合玄関機１に（時分割多重方式で）送出される。ここで、前述の親機応答転送信号が有する伝送フレームにおいて、当該信号の伝送先を示すアドレスは玄関機番号であるため、この親機応答転送信号は、住戸ラインＬ2、制御機５、玄関機ラインＬ1を経由して集合玄関機１にのみ伝送される有効な伝送信号とされ、他住戸であるＡ号室以外の住戸（Ｂ号室、・・・）に設置される機器（玄関子機２ｂ、・・・、居室親機３ｂ、・・・及び増設親機４ｂ、・・・）おいては無効な信号と判断されるものである。
【００４８】
集合玄関機１は、居室親機３ａより伝送されてきた親機応答転送信号を受信すると、この信号に係る上り方向の伝送フレームを検出した後、通話部１２を構成するマイク１２ａ及びスピーカ１２ｂによる通話機能が能動となるように制御する。
【００４９】
ここで、集合玄関に居る来訪者が、図１に示す集合玄関機１の通話部１２を構成するマイク１２ａに音声信号を入力すると、図６（Ａ）に示すような下り方向の伝送信号に係る所定の周波数帯域であって、図６（Ｂ）に示すフレームの「ヘッダ」に音声送信先である居室親機３ａを指定するための親機番号及び呼出・音声送信元である集合玄関機１を示す玄関機番号を、「複数のスロット（１）〜（３）」のうち例えば、「スロット（１）」に前述の呼出（呼出操作）時より映像撮像部１１にて継続して生成されている映像信号を、「スロット（２）」に音声信号をそれぞれ挿入させた下り方向の伝送フレームを有する玄関機映像・音声伝送信号が生成される。この玄関機映像・音声伝送信号は、前述の玄関機呼出伝送信号と同様の信号伝送路及び信号処理がなされた後、図３に示す居室親機３ａの双方向結合型親機分岐器３７を構成する親機信号処理部３７ｂの親機上流側受信回路３７４に入力される。
【００５０】
居室親機３ａの双方向結合型親機分岐器３７において、親機信号処理部３７ｂの親機上流側受信回路３７４は、子機／親機ラインＬ3a、Ｌ3b、・・・を経由して（玄関子機２ａより）入力された玄関機映像・音声伝送信号を復調して下り方向の伝送フレームを検出する。この後、親機上流側デフレーマ３７５は、親機上流側受信回路３７４にて検出された下り方向の伝送フレームから、前述の親機番号、玄関機番号、映像信号及び音声信号を取出し、親機番号、玄関機番号は、親機マルチプレクサ／デマルチプレクサ３７８を経由して親機ＣＰＵ３３に、映像信号は、親機マルチプレクサ／デマルチプレクサ３７８を経由して親機映像Ｉ／Ｆ３５に、音声信号は、親機マルチプレクサ／デマルチプレクサ３７８を経由して親機音声Ｉ／Ｆ３６にそれぞれ送出する。
【００５１】
ここで、居室親機３ａの親機ＣＰＵ３３は、双方向結合型親機分岐器３７の親機信号処理部３７ｂを構成する親機マルチプレクサ／デマルチプレクサ３７８を経由して入力された前述の親機番号及び玄関機番号のうち、当該親機番号と自居室親機に割当てられている親機番号とが一致するため、親機映像Ｉ／Ｆ３５を経由して信号処理された映像信号を表示部３０のモニタ３０ｂに出画し、その出画動作を継続させるとともに、親機音声Ｉ／Ｆ３６を経由して信号処理された音声信号、すなわち、集合玄関に居る来訪者による音声信号を通話部３１のスピーカ３１ｂから出力させることができる。
【００５２】
一方、Ａ号室内に在室中の居住者が、図３に示す居室親機３ａの通話部３１を構成するマイク３１ａに音声信号を入力すると、親機音声Ｉ／Ｆ３６を経由して信号処理された音声信号が、双方向結合型親機分岐器３７の親機信号処理部３７ｂを構成する親機マルチプレクサ／デマルチプレクサ３７８に送出される。
【００５３】
居室親機３ａの双方向結合型親機分岐器３７において、親機信号処理部３７ｂの親機上流側フレーマ３７２は、親機マルチプレクサ／デマルチプレクサ３７８を経由して親機ＣＰＵ３３より入力される前述の呼出応答時と同様な親機番号、玄関機番号と音声信号のうち、親機番号、玄関機番号を図６（Ｂ）に示す先頭フレームの「ヘッダ」に、音声信号を「複数のスロット（１）〜（３）」のうち例えば、「スロット（１）」にそれぞれ挿入させた上り方向の伝送フレームを有し、図６（Ａ）に示すような上り方向の伝送信号に係る所定の周波数帯域の親機音声信号を生成する。この親機音声信号は、前述の親機応答伝送信号と同様な信号伝送路及び信号処理を経由して図１に示す集合玄関機１に伝送される。
【００５４】
集合玄関機１は、居室親機３ａより伝送されてきた親機音声信号を受信すると、この信号に係る上り方向の伝送フレームを検出した後、通話部１２を構成するスピーカ１２ａからＡ号室内に在室中の居住者による音声信号を出力させることができる。
【００５５】
なお、第１の動作に係る説明によれば、集合玄関に居る来訪者からの呼出しがあり、この来訪者を映像とともに確認したＡ号室内に在室中の居住者が応答し、通話を成立させる機器として、居室親機３ａ及び増設親機４ａのうち居室親機３ａを適用したが、この態様に限定されるものではない。例えば、増設親機４ａの操作部４２（４２ａ、４２ｂ）を使用して所定の応答操作を行い、通話部４１（４１ａ、４１ｂ）を使用して音声信号を送受信することで通話を成立させることもできる。
『第２の動作』
Ａ号室の住戸玄関に居る来訪者が、同住戸内に在室中の居住者を呼出すにあたり、図１、図２に示す玄関子機２ａの操作部２０（２０ａ）を使用して所定の呼出操作を行うと、この操作を検出した子機ＣＰＵ２３は、映像撮像部２１、子機映像Ｉ／Ｆ２５がそれぞれ能動となるように制御し、この映像撮像部２１にて撮像され子機映像Ｉ／Ｆ２５を経由して信号処理された来訪者の映像信号を、双方向結合型子機分岐器２７の子機信号処理部２７ｂを構成する子機マルチプレクサ／デマルプレクサ２７８に送出させるとともに、呼出元である自玄関子機を示す子機番号及び呼出しがある旨の呼出制御信号を子機マルチプレクサ／デマルプレクサ２７８に送出する。ここで、子機下流側フレーマ２７２は、子機マルチプレクサ／デマルチプレクサ２７８を経由して入力された前述の子機番号、呼出制御信号及び映像信号のうち、子機番号、呼出制御信号を図６（Ｂ）に示す先頭フレームの「ヘッダ」に、映像信号を「複数のスロット（１）〜（３）」のうち例えば、「スロット（１）」にそれぞれ挿入させた下り方向の伝送フレームを有し、図６（Ａ）に示すような下り方向の伝送信号に係る所定の周波数帯域の子機呼出伝送信号を生成する。この子機呼出伝送信号は、子機下流側送信回路２７３にて変調された後、子機／親機ラインＬ3aを経由して図３に示す居室親機３ａの双方向結合型親機分岐器３７を構成する親機信号処理部３７ｂの親機上流側受信回路３７４に入力される。
【００５６】
居室親機３ａの双方向結合型親機分岐器３７において、親機信号処理部３７ｂの親機上流側受信回路３７４は、子機／親機ラインＬ3aを経由して玄関子機２ａより入力された子機呼出伝送信号を復調して下り方向の伝送フレームを検出する。この後、親機上流側デフレーマ３７５は、親機上流側受信回路３７４にて検出された下り方向の伝送フレームから、前述の子機番号、呼出制御信号及び映像信号を取出し、子機番号、呼出制御信号は、親機マルチプレクサ／デマルチプレクサ３７８を経由して親機ＣＰＵ３３に、映像信号は、親機マルチプレクサ／デマルチプレクサ３７８を経由して親機映像Ｉ／Ｆ３５にそれぞれ送出する。
【００５７】
ここで、居室親機３ａの親機ＣＰＵ３３は、双方向結合型親機分岐器３７の親機信号処理部３７ｂを構成する親機マルチプレクサ／デマルチプレクサ３７８を経由して入力された前述の子機番号、呼出制御信号に基づいて、子機番号に該当する玄関子機１ａを使用した自住戸の住戸玄関に居る来訪者からの呼出しがあることを、表示部３０のＬＥＤ３０ａ及び通話部３１のスピーカ３１ｂをそれぞれ使用して報知（呼出表示、呼出発報）するとともに、モニタ３０ｂが出画可能状態である場合には、親機映像Ｉ／Ｆ３５を経由して信号処理された映像信号を出画させることができる。
【００５８】
また、居室親機３ａの親機ＣＰＵ３３は、前述のように入力された子機番号、呼出制御信号を、双方向結合型親機分岐器３７の親機信号処理部３７ｂを構成する親機マルチプレクサ／デマルチプレクサ３７８を経由して親機下流側フレーマ３７６に送出する。この親機下流側フレーマ３７６は、親機マルチプレクサ／デマルチプレクサ３７８を経由して親機ＣＰＵ３３より入力された前述の子機番号、呼出制御信号と、親機マルチプレクサ／デマルチプレクサ３７８を経由して親機上流側デフレーマ３７５より伝送されてくる映像信号のうち、子機番号、呼出制御信号を図６（Ｂ）に示す先頭フレームの「ヘッダ」に、映像信号を「複数のスロット（１）〜（３）」のうち例えば、「スロット（１）」にそれぞれ挿入させた下り方向の伝送フレームを有し、図６（Ａ）に示すような下り方向の伝送信号に係る所定の周波数帯域の子機呼出転送信号を生成する。この子機呼出転送信号は、親機下流側送信回路３７７にて変調された後、親機トランス３７ａ、親機／増設ラインＬ4aを経由して図４に示す増設親機４ａの終端型増設分岐器４７を構成する増設トランス４７ａに入力される。
【００５９】
増設親機４ａの終端型増設分岐器４７において、増設信号処理部４７ｂの増設受信回路４７０は、増設トランス４７ａに入力された子機呼出転送信号を復調して下り方向の伝送フレームを検出する。この後、増設デフレーマ４７１は、増設受信回路４７０にて検出された下り方向の伝送フレームから、前述の子機番号、呼出制御信号及び映像信号を取出し、子機番号、呼出制御信号は、増設マルチプレクサ／デマルチプレクサ４７４を経由して増設ＣＰＵ４３に、映像信号は、増設マルチプレクサ／デマルチプレクサ４７４を経由して増設映像Ｉ／Ｆ４５にそれぞれ送出する。
【００６０】
ここで、増設親機４ａの増設ＣＰＵ４３は、終端型親機分岐器４７の増設信号処理部４７ｂを構成する増設マルチプレクサ／デマルチプレクサ４７４を経由して入力された前述の子機番号、呼出制御信号に基づいて、子機番号に該当する玄関子機１ａを使用した自住戸の住戸玄関に居る来訪者からの呼出しがあることを、表示部４０のＬＥＤ４０ａ及び通話部４１のスピーカ４１ｂをそれぞれ使用して報知（呼出表示、呼出発報）するとともに、モニタ４０ｂが出画可能状態である場合には、親機映像Ｉ／Ｆ４５を経由して信号処理された映像信号を出画させることができる。
【００６１】
次に、前述のような呼出報知（呼出表示、呼出発報）及び映像信号の出画をもとに、自住戸の住戸玄関に居る来訪者からの呼出しがあり、この来訪者を映像とともに確認したＡ号室内に在室中の居住者が、図１、図３に示す居室親機３ａの操作部３２（３２ａ、３２ｂ）又は図１、図４に示す増設親機４ａの操作部４２（４２ａ、４２ｂ）を使用して所定の応答操作を行う、ここでは、増設親機４ａの操作部４２（４２ａ、４２ｂ）を使用して所定の応答操作を行うと、この操作を検出した増設ＣＰＵ４３は、増設親機音声Ｉ／Ｆ４６を制御して居住者が使用する通話部４１のマイク４１ａ及びスピーカ４１ｂと終端型増設分岐器４７の増設信号処理部４７ｂを構成する増設マルチプレクサ／デマルチプレクサ４７４間の信号伝送路、すなわち、通話路を形成するとともに、呼出元・音声送信先である玄関子機１ａを指定するための子機番号、応答元・音声送信元の増設親機４ａを示す増設親機番号及び応答したことを示す応答制御信号をそれぞれ生成し、増設マルチプレクサ／デマルチプレクサ４７４に送出する。
【００６２】
増設親機４ａの終端型増設分岐器４７において、増設信号処理部４７ｂの増設フレーマ４７２は、増設マルチプレクサ／デマルチプレクサ４７４を経由して増設ＣＰＵ４３より入力された子機番号、増設親機番号及び応答制御信号をそれぞれ、図６（Ｂ）に示す先頭フレームの「ヘッダ」に挿入させた上り方向の伝送フレームを有し、図６（Ａ）に示すような上り方向の伝送信号に係る所定の周波数帯域の増設親機応答伝送信号を生成する。この増設親機応答伝送信号は、増設送信回路４７３にて変調された後、親機／増設ラインＬ4aを経由して図３に示す居室親機３ａの双方向結合型親機分岐器３７を構成する親機トランス３７ａに入力される。
【００６３】
居室親機３ａの双方向結合型親機分岐器３７において、親機信号処理部３７ｂの親機下流側受信回路３７０は、親機トランス３７ａに入力された増設親機応答伝送信号を復調して上り方向の伝送フレームを検出する。また、親機下流側デフレーマ３７１は、親機下流側受信回路３７０にて検出された上り方向の伝送フレームから、前述の子機番号、増設親機番号及び応答制御信号を取出し、親機マルチプレクサ／デマルチプレクサ３７８を経由して親機上流側フレーマ３７２に送出する。なお、前述の子機番号、増設親機番号及び応答制御信号は、親機マルチプレクサ／デマルチプレクサ３７８を経由して親機ＣＰＵ３３にも伝送され、これらの信号を検出した親機ＣＰＵ３３によれば、その後のタイミングで操作部３２（３２ａ、３２ｂ）の使用による所定の応答操作が行われた場合であっても、この操作が無効である、すなわち、最先の応答操作ではないものと判断する。
【００６４】
また、居室親機３ａの双方向結合型親機分岐器３７において、親機信号処理部３７ｂの親機上流側フレーマ３７２は、親機マルチプレクサ／デマルチプレクサ３７８を経由して入力された前述の子機番号、増設親機番号及び応答制御信号をそれぞれ、図６（Ｂ）に示す先頭フレームの「ヘッダ」に挿入させた上り方向の伝送フレームを有し、図６（Ａ）に示すような上り方向の伝送信号に係る所定の周波数帯域の増設親機応答転送信号を生成する。この親機応答転送信号は、親機上流側送信回路３７３にて変調された後、子機／親機ラインＬ3a、図２に示す玄関子機２ａの双方向結合型子機分岐器２７を構成する子機信号処理部２７ｂの子機下流側受信回路２７４に入力される。
【００６５】
玄関子機２ａの双方向結合型子機分岐器２７において、子機信号処理部２７ｂの子機下流側受信回路２７４は、子機／親機ラインＬ3aを経由して居室親機３ａより入力された増設親機応答転送信号を復調して上り方向の伝送フレームを検出する。また、子機下流側デフレーマ２７５は、子機下流側受信回路２７４にて検出された上り方向の伝送フレームから、前述の子機番号、増設親機番号及び応答制御信号を取出し、子機マルチプレクサ／デマルチプレクサ２７８を経由して子機ＣＰＵ２３に送出する。
【００６６】
玄関子機２ａの子機ＣＰＵ２３は、双方向結合型子機分岐器２７の子機信号処理部２７ｂを構成する子機マルチプレクサ／デマルチプレクサ２７８を経由して入力された前述の子機番号、増設親機番号及び応答制御信号のうち当該子機番号が一致するため、子機音声Ｉ／Ｆ２６を制御して来訪者が使用する通話部２２のマイク２２ａ及びスピーカ２２ｂと子機マルチプレクサ／デマルチプレクサ２７８間の信号伝送路、すなわち、通話路を形成する。
【００６７】
ここで、Ａ号室の住戸玄関に居る来訪者が、図１、図２に示す玄関子機２ａの通話部２２を構成するマイク２２ａに音声信号を入力すると、子機音声Ｉ／Ｆ２６を経由して信号処理された音声信号が、双方向結合型子機分岐器２７の子機信号処理部２７ｂを構成する子機マルチプレクサ／デマルチプレクサ２７８に送出される。
【００６８】
玄関子機２ａの双方向結合型子機分岐器２７において、子機信号処理部２７ｂの子機下流側フレーマ２７２は、子機マルチプレクサ／デマルチプレクサ２７８を経由して子機ＣＰＵ３３より入力される子機番号、応答元・音声送信元である増設親機４ａを示す増設親機番号と、前述の呼出（呼出操作）時から子機マルチプレクサ／デマルチプレクサ２７８を経由して親子機映像Ｉ／Ｆ２５より入力される映像信号と、子機マルチプレクサ／デマルチプレクサ２７８を経由して子機音声Ｉ／Ｆ２６より入力される音声信号のうち、子機番号、増設親機番号を図６（Ｂ）に示す先頭フレームの「ヘッダ」に、映像信号を「複数のスロット（１）〜（３）」のうち例えば、「スロット（１）」に、音声信号を「スロット（２）」にそれぞれ挿入させた下り方向の伝送フレームを有し、図６（Ａ）に示すような下り方向の伝送信号に係る所定の周波数帯域の子機映像・音声信号を生成する。この子機映像・音声信号は、前述の子機呼出伝送信号と同様な信号伝送路及び信号処理を経由して、図４に示す増設親機４ａの終端型増設分岐器４７を構成する増設トランス４７ａに入力される。
【００６９】
増設親機４ａの終端型増設分岐器４７において、増設信号処理部４７ｂの増設受信回路４７０は、増設トランス４７ａに入力された子機映像・音声信号を復調して下り方向の伝送フレームを検出する。この後、増設デフレーマ４７１は、増設受信回路４７０にて検出された下り方向の伝送フレームから、前述の子機番号、増設親機番号、映像信号及び音声信号を取出し、映像信号は、増設マルチプレクサ／デマルチプレクサ４７４を経由して増設映像Ｉ／Ｆ４５に、音声信号は、増設マルチプレクサ／デマルチプレクサ４７４を経由して増設音声Ｉ／Ｆ４６にそれぞれ送出する。
【００７０】
ここで、増設親機４ａによれば、増設映像Ｉ／Ｆ４５を経由して信号処理された映像信号を表示部４０のモニタ４０ｂに出画し、その出画動作を継続させるとともに、増設音声Ｉ／Ｆ４６を経由して信号処理された音声信号、すなわち、玄関子機２ａにて所定の呼出操作を行ったＡ号室の住戸玄関に居る来訪者による音声信号を通話部４１のスピーカ４１ｂから出力させることができる。
【００７１】
一方、Ａ号室内に在室中の居住者が、図１、図４に示す増設親機４ａの通話部４１を構成するマイク４１ａに音声信号を入力すると、増設親機音声Ｉ／Ｆ４６を経由して信号処理された音声信号が、終端型増設分岐器４７の増設信号処理部４７ｂを構成する増設マルチプレクサ／デマルチプレクサ４７４に送出される。
【００７２】
増設親機４ａの終端型増設分岐器４７において、増設信号処理部４７ｂの増設フレーマ４７２は、増設マルチプレクサ／デマルチプレクサ４７４を経由して増設ＣＰＵ４３より入力される子機番号、増設親機番号と、増設マルチプレクサ／デマルチプレクサ４７４を経由して増設音声Ｉ／Ｆ４６より入力される音声信号のうち、子機番号、増設親機番号を図６（Ｂ）に示す先頭フレームの「ヘッダ」に、音声信号を「複数のスロット（１）〜（３）」のうち例えば、「スロット（１）」にそれぞれ挿入させた上り方向の伝送フレームを有し、図６（Ａ）に示すような上り方向の伝送信号に係る所定の周波数帯域の増設音声信号を生成する。この増設親機音声信号は、前述の増設親機応答伝送信号と同様な信号伝送路及び信号処理を経由して、図２に示す玄関子機２ａの双方向結合型子機分岐器２７を構成する子機信号処理部２７ｂの子機下流側受信回路２７４に入力される。
【００７３】
玄関子機２ａの双方向結合型子機分岐器２７において、子機信号処理部２７ｂの子機下流側受信回路２７４は、子機／親機ラインＬ3aを経由して入力された増設親機音声信号を復調して下り方向の伝送フレームを検出する。この後、子機下流側デフレーマ２７５は、子機下流側受信回路２７４にて検出された下り方向の伝送フレームから、前述の子機番号、増設親機番号及び音声信号を取出し、音声信号は、子機マルチプレクサ／デマルチプレクサ２７８を経由して子機音声Ｉ／Ｆ２６に送出する。
【００７４】
ここで、玄関子機２ａによれば、子機音声Ｉ／Ｆ２６を経由して信号処理された音声信号、すなわち、増設親機４ａを使用して所定の応答操作を行ったＡ号室内に在室中の居住者による音声信号を通話部２２のスピーカ２２ｂから出力させることができる。
【００７５】
また、Ａ号室内に在室中の居住者にとっては、前述のような通話を成立中、又はその成立後、住戸玄関に居る来訪者を住戸内に招き入れるにあたり、図１、図４に示す増設親機４ａの操作部４２（４２ａ、４２ｂ）を使用して所定の解錠操作を行うことで電気錠６ａを解錠することもできる。
【００７６】
なお、第２の動作に係る説明によれば、Ａ号室の住戸玄関に居る来訪者からの呼出しがあり、この来訪者を映像とともに確認した在室中の居住者が応答し、通話を成立させる機器として、居室親機３ａ及び増設親機４ａのうち増設親機４ａを適用したが、この態様に限定されるものではなく、居室親機３ａの操作部３２（３２ａ、３２ｂ）を使用して所定の応答操作を行い、通話部３１（３１ａ、３１ｂ）を使用して音声信号を送受信することで通話を成立させることもできる。
【００７７】
また、第１、２の各動作に係る説明によれば、集合玄関に居る来訪者が複数の住戸のうち、特定の住戸内に在室中の居住者を呼出して通話を成立させる動作と、特定の住戸の住戸玄関に居る来訪者が住戸内に在室中の居住者を呼出して通話を成立させる動作について説明したが、別途の動作として、住戸内における内線呼出し、すなわち、親機／増設ラインＬ4a、Ｌ4b、・・・を経由して接続される居室親機３ａ、３ｂ、・・・及び増設親機４ａ、４ｂ、・・・の相互間で呼出し、通話をさせることもでき、これらの動作時において送受信される呼出し・呼出応答のための制御信号や音声信号についての信号処理を、第１、２の各動作に示された同様な処理で実行可能となる。
【００７８】
前述までの説明から明らかなように、本発明の実施例によれば、集合住宅の住戸毎に設けられる玄関子機２ａ、２ｂ、・・・及び居室親機３ａ、３ｂ、・・・の間を接続する配線である子機／親機ラインＬ3a、Ｌ3b、・・・と制御機５から住戸へ引込まれる配線である住戸ラインＬ2とを当該玄関子機の機器内に設けられる双方向結合型子機分岐器２７にて結合させて共用化することにより、住戸ラインＬ2より信号パワーの一部を分岐させるとともに子機／親機ラインＬ3a、Ｌ3b、・・・より信号パワーを混合させることができるため、配線の省線化及びシステム構成の簡素化が図られるばかりでなく、制御機５から住戸ラインＬ2、玄関子機２ａ、２ｂ、・・・、子機／親機ラインＬ3a、Ｌ3b、・・・を経由して居室親機３ａ、３ｂ、・・・に伝送される信号に係るフレーム構成において、スロット間のガードインターバルを最小とすることができ、当該フレーム構成の効率化が可能となることにより、配線上を伝送される信号の容量（伝送容量）を十分に確保できる。
【００７９】
また、本発明の実施例によれば、集合住宅の住戸内毎に設けられる玄関子機２ａ、２ｂ、・・・及び居室親機３ａ、３ｂ、・・・の間を接続する配線である子機／親機ラインＬ3a、Ｌ3b、・・・と当該居室親機から増設親機４ａ、４ｂ、・・・へ引込まれる配線である親機／増設ラインＬ4a、Ｌ4b、・・・とを当該居室親機の機器内に設けられる双方向結合型親機分岐器３７にて結合させて共用化することにより、親機／増設ラインＬ4a、Ｌ4b、・・・より信号パワーの一部を分岐させるとともに子機／親機ラインＬ3a、Ｌ3b、・・・より信号パワーを混合させることができるため、配線の省線化及びシステム構成の簡素化が図られるばかりでなく、増設親機４ａ、４ｂ、・・・から親機／増設ラインＬ4a、Ｌ4b、・・・を経由して居室親機３ａ、３ｂ、・・・に伝送される信号に係るフレーム構成において、スロット間のガードインターバルを最小とすることができ、当該フレーム構成の効率化が可能となることにより、配線上を伝送される信号の容量（伝送容量）を十分に確保できる。
【００８０】
なお、本発明の集合住宅インターホン装置においては、特定の実施の形態をもって説明してきたが、この形態に限定されるものでなく、本発明の効果を奏する限り、これまで知られた如何なる構成の当該装置であっても採用できるということはいうまでもないことである。
【００８１】
具体的に、本発明の実施例によれば、集合玄関機１又は自住戸の玄関子機２ａ、２ｂ、・・・からの呼出しに応答して音声信号を送受信することで通話を成立させるとともに集合玄関機１及び（自住戸の）玄関子機２ａ、２ｂ、・・・のうち少なくとも集合玄関機１にて生成される映像信号を出画するために住戸内に設けられる機器として、居室親機３ａ、３ｂ、・・・及び当該居室親機に親機／増設ラインＬ4a、Ｌ4b、・・・を経由して接続される増設親機４ａ、４ｂ、・・・を適用したが、この態様に限定されるものではない。例えば、住戸内に増設親機４ａ、４ｂ、・・・が不備とされる態様であってもよい。
【００８２】
また、本発明の実施例によれば、玄関子機２ａ、２ｂ、・・・の態様として、映像撮像部２１を有する当該玄関子機を適用したが、この態様に限定されるものではなく、映像撮像部２１を不備とすることもできる。
【００８３】
さらに、本発明の実施例によれば、玄関子機２ａ、２ｂ、・・・の双方向結合型子機分岐器２７を構成する子機トランス２７ａ、居室親機３ａ、３ｂ、・・・の双方向結合型親機分岐器３７を構成する親機トランス３７ａ、及び増設親機４ａ、４ｂ、・・・の終端型増設分岐器４７を構成する増設トランス４７ａはそれぞれ、その態様として図５（Ａ）の回路ブロック図に示すように、住戸ラインＬ2上の分岐点と子機信号処理部２７ｂとの間の信号伝送路を形成するような当該トランス、親機／増設ラインＬ4a、Ｌ4b、・・・上の分岐点と親機信号処理部３７ｂ／増設信号処理部４７ｂとの間の信号伝送路を形成するような当該トランスを適用したが、この態様に限定されるものではない。例えば、図５（Ｂ）の回路ブロック図に示すように、住戸ラインＬ2、親機／増設ラインＬ4a、Ｌ4b、・・・の各ライン上に子機トランス２７ａ、親機トランス３７ａ及び増設トランス４７ａをそれぞれ設ける態様であってもよい。
【符号の説明】
【００８４】
１……集合玄関機
２ａ、２ｂ、・・・……玄関子機
２７……双方向結合型子機分岐器
２７ａ……子機トランス
２７ｂ……子機信号処理部
２７０……子機上流側受信回路
２７１……子機上流側デフレーマ
２７２……子機下流側フレーマ
２７３……子機下流側送信回路
２７４……子機下流側受信回路
２７５……子機下流側デフレーマ
２７６……子機上流側フレーマ
２７７……子機上流側送信回路
２７８……子機マルチプレクサ／デマルチプレクサ
３ａ、３ｂ、・・・……居室親機
３７……双方向結合型親機分岐器
３７ａ……親機トランス
３７ｂ……親機信号処理部
３７０……親機下流側受信回路
３７１……親機下流側デフレーマ
３７２……親機上流側フレーマ
３７３……親機上流側送信回路
３７４……親機上流側受信回路
３７５……親機上流側デフレーマ
３７６……親機下流側フレーマ
３７７……親機下流側送信回路
３７８……親機マルチプレクサ／デマルチプレクサ
４ａ、４ｂ、・・・……増設親機
５……制御機
Ｌ1……集合玄関ライン
Ｌ2……住戸ライン
Ｌ3a、Ｌ3b、・・・……子機／親機ライン
Ｌ4a、Ｌ4b、・・・……親機／増設ライン
【図１】
0005739780.tif 000002
【図２】
0005739780.tif 000003
【図３】
0005739780.tif 000004
【図４】
0005739780.tif 000005
【図５】
0005739780.tif 000006
【図６】
0005739780.tif 000007
【図７】
0005739780.tif 000008